(57)【要約】【課題】筐体内で発生した熱の放熱性を第１及び第２の姿勢で同等に向上させることができるディスプレイ装置を提供する。【解決手段】  ディスプレイ装置１１０は、画像を生成するＰＣユニット１２と、該ＰＣユニット１２で生成された画像に処理を施し、処理が施された画像をディスプレイ１０に出力するコントローラユニット１４と、ＰＣユニット１２、コントローラユニット１４及びディスプレイ１０に電力を供給する電源ユニット１６と、ディスプレイ１０を液晶パネル１０ａの表面が露出し、かつ液晶パネル１０ａの裏面を覆うように保持するとともに、ＰＣユニット１２、コントローラユニット１４及び電源ユニット１６を液晶パネル１０ａの裏面側に収容する筐体１８とを備え、ディスプレイ１０が第１及び第２の姿勢のいずれであっても、ＰＣユニット１２、コントローラユニット１４及び電源ユニット１６は、筐体１８内で水平面に対して傾斜する方向に並んでいる。【選択図】図２
2014153562.tif 000002
【特許請求の範囲】
【請求項１】
画像が表示される表面を有する表示パネルを含み、前記表面の一辺が水平であり、かつ前記表面の前記一辺に直交する他辺が水平でない第１の姿勢、及び前記一辺が水平でなく、かつ前記他辺が水平である第２の姿勢のいずれかで用いられるディスプレイを備えるディスプレイ装置であって、
画像を生成する画像生成ユニットと、
前記画像生成ユニットで生成された画像に処理を施し、処理が施された画像を前記ディスプレイに出力する画像処理ユニットと、
前記画像生成ユニット、前記画像処理ユニット及び前記ディスプレイに電力を供給する電力供給ユニットと、
前記ディスプレイを前記表面が露出し、かつ前記表示パネルの裏面を覆うように保持するとともに、前記画像生成ユニット、前記画像処理ユニット及び前記電力供給ユニットを前記表示パネルの裏面側に収容する筐体と、を備え、
前記ディスプレイが前記第１及び第２の姿勢のいずれであっても、前記画像生成ユニット、前記画像処理ユニット及び前記電力供給ユニットのうち、少なくとも２つは、前記筐体内で水平面に対して傾斜する方向に並んでいるディスプレイ装置。
【請求項２】
前記筐体は、前記傾斜する方向の一端及び他端それぞれに開口が形成されていることを特徴とする請求項１に記載のディスプレイ装置。
【請求項３】
前記開口を通過する気流を発生させるファンを更に備えることを特徴とする請求項２に記載のディスプレイ装置。
【請求項４】
前記筐体内に設けられ、前記傾斜する方向に延びるダクトを更に備え、
前記少なくとも２つは、前記ダクト内に前記傾斜する方向に並べて配置されていることを特徴とする請求項１〜３のいずれか一項に記載のディスプレイ装置。
【請求項５】
前記画像生成ユニット、前記画像処理ユニット及び前記電力供給ユニットの少なくとも１つには、ヒートシンクが設けられていることを特徴とする請求項１〜４のいずれか一項に記載のディスプレイ装置。
【請求項６】
前記少なくとも２つは、前記裏面に沿って配置されていることを特徴とする請求項１〜５のいずれか一項に記載のディスプレイ装置。
【請求項７】
前記傾斜する方向は、前記表面の対角線が延びる方向であることを特徴とする請求項１〜６のいずれか一項に記載のディスプレイ装置。
【請求項８】
前記少なくとも２つは、それぞれ長手方向を有し、該長手方向が前記傾斜する方向に平行になるように配置されていることを特徴とする請求項１〜７のいずれか一項に記載のディスプレイ装置。
【請求項９】
前記ディスプレイを前記第１及び第２の姿勢それぞれに維持するための姿勢維持手段を更に備えることを特徴とする請求項１〜８のいずれか一項に記載のディスプレイ装置。
【発明の詳細な説明】
【技術分野】
【０００１】
本発明は、ディスプレイ装置に係り、更に詳しくは、画像が表示される表面を有する表示パネルを含むディスプレイを備えるディスプレイ装置に関する。
【背景技術】
【０００２】
従来、例えば画像が表示される矩形状の表面を有する表示パネルを含むディスプレイと、該ディスプレイを表示パネルの表面が露出し、かつ表示パネルの裏面を覆うように保持するとともに、発熱体としてのＣＰＵ等を表示パネルの裏面側に収容する筐体と、を備える電子機器が知られている（例えば特許文献１参照）。
【０００３】
この電子機器では、ディスプレイは、表示パネルの表面の一辺が水平であり、かつ表示パネルの表面の該一辺に直交する他辺が水平でない第１の姿勢、及び表示パネルの表面の上記一辺が水平でなく、かつ上記他辺が水平である第２の姿勢のいずれかで用いられる。
【発明の概要】
【発明が解決しようとする課題】
【０００４】
しかしながら、特許文献１に開示されている電子機器では、筐体内で発生した熱の放熱性を第１及び第２の姿勢で同等に向上させることは、困難であった。
【課題を解決するための手段】
【０００５】
本発明は、画像が表示される表面を有する表示パネルを含み、前記表面の一辺が水平であり、かつ前記表面の前記一辺に直交する他辺が水平でない第１の姿勢、及び前記一辺が水平でなく、かつ前記他辺が水平である第２の姿勢のいずれかで用いられるディスプレイを備えるディスプレイ装置であって、画像を生成する画像生成ユニットと、前記画像生成ユニットで生成された画像に処理を施し、処理が施された画像を前記ディスプレイに出力する画像処理ユニットと、前記画像生成ユニット、前記画像処理ユニット及び前記ディスプレイに電力を供給する電力供給ユニットと、前記ディスプレイを前記表面が露出し、かつ前記表示パネルの裏面を覆うように保持するとともに、前記画像生成ユニット、前記画像処理ユニット及び前記電力供給ユニットを前記表示パネルの裏面側に収容する筐体と、を備え、前記ディスプレイが前記第１及び第２の姿勢のいずれであっても、前記画像生成ユニット、前記画像処理ユニット及び前記電力供給ユニットのうち、少なくとも２つは、前記筐体内で水平面に対して傾斜する方向に並んでいるディスプレイ装置である。
【発明の効果】
【０００６】
本発明によれば、筐体内で発生した熱の放熱性を第１及び第２の姿勢で同等に向上させることができる。
【図面の簡単な説明】
【０００７】
【図１】一実施形態の画像表示システムの構成を概略的に示す図である。
【図２】図２（Ａ）は、ディスプレイが横向き姿勢のときのディスプレイ装置の正面図であり、図２（Ｂ）は、ディスプレイが縦向き姿勢のときのディスプレイ装置の正面図である。
【図３】ディスプレイ装置の制御の構成を示す図である。
【図４】図４（Ａ）は、ディスプレイが横向き姿勢のときのディスプレイ系の側面図であり、図４（Ｂ）は、ディスプレイが縦向き姿勢のときのディスプレイ系の側面図である。
【図５】図５（Ａ）は、変形例１におけるディスプレイが横向き姿勢のときのディスプレイ装置の正面図であり、図５（Ｂ）は、変形例１におけるディスプレイが縦向き姿勢のときのディスプレイ装置の正面図である。
【図６】変形例２における筐体内に配置されたファンの一例を示す図である。
【図７】変形例２におけるファンの他の例であるシロッコファンを示す図である。
【図８】変形例３におけるＰＣユニット、コントローラユニット及び電源ユニットの少なくとも１つに設けられるヒートシンクを示す図である。
【図９】図９（Ａ）は、変形例４におけるディスプレイが横向き姿勢のときのディスプレイ装置の正面図であり、図９（Ｂ）は、変形例４におけるディスプレイが縦向き姿勢のときのディスプレイ装置の正面図である。
【発明を実施するための形態】
【０００８】
以下、一実施形態を図１〜図４（Ｂ）に基づいて説明する。図１には、一実施形態に係る画像表示システム１００が示されている。以下では、図１に示される、Ｚ軸方向を鉛直方向とするＸＹＺ３次元直交座標系を用いて説明する。
【０００９】
画像表示システム１００は、例えば、企業、行政機関等の会議におけるプレゼンテーション、教育機関における授業などに用いられる。
【００１０】
画像表示システム１００は、ディスプレイ１０を含むディスプレイ装置１１０と、ユーザＰＣ１３０ａ、１３０ｂとを含んで構成されており、ディスプレイ装置１１０と、ユーザＰＣ１３０ａ、１３０ｂとは、ケーブル１２４、１２６によって接続されている。
【００１１】
ディスプレイ装置１１０は、ユーザＰＣ１３０ａ、１３０ｂの表示画像を表示可能であり、かつユーザが生成する描画画像を表示可能な装置であり、例えば電子黒板や電子情報ボードとも呼ばれる。また、ディスプレイ装置１１０は、ディスプレイ１０に対する接触によってイベントを発生させ、このイベントを例えばマウス、キーボード等の入力装置のイベントとしてユーザＰＣ１３０ａ、１３０ｂに送信する。
【００１２】
ユーザＰＣ１３０ａ、１３０ｂは、ディスプレイ装置１１０に表示すべき画像を提供する情報処理装置である。ユーザＰＣ１３０ａ、１３０ｂは、画像信号を出力するインタフェースを備えており、ユーザＰＣ１３０ａ、１３０ｂの表示画像を形成する画像信号を所定のレート（例えば、毎秒３０フレーム）でディスプレイ装置１１０に供給する。
【００１３】
本実施形態では、ユーザＰＣ１３０ａ、１３０ｂは、インタフェースとしての画像出力端子（図示せず）を備えており、ケーブル１２４、１２６を介して画像信号をディスプレイ装置１１０に送信することができる。なお、ユーザＰＣ１３０ａ、１３０ｂは、各種無線通信プロトコルに準拠した無線通信により、表示画像を送信してもよい。
【００１４】
また、ユーザＰＣ１３０ａ、１３０ｂは、ディスプレイ装置１１０がディスプレイ１０に表示した画像を取得することができる。ユーザＰＣ１３０ａ、１３０ｂは、ＵＳＢポート（不図示）を備えており、不図示のＵＳＢケーブルを介して接続されたディスプレイ装置１１０に格納されている表示画像を、ＵＳＢ  Ｍａｓｓ  Ｓｔｏｒａｇｅ  Ｃｌａｓｓ等の汎用ドライバを使用して取得することができる。
【００１５】
本実施形態では、図１に示されるように、ユーザＰＣ１３０ａ、１３０ｂとしてノート型ＰＣが採用されているが、デスクトップ型ＰＣやタブレット型ＰＣ、ＰＤＡ、デジタルビデオカメラ、デジタルカメラ等の画像フレームを供給可能な情報処理装置を採用しても良い。また、図１に示される画像表示システム１００では、２つのユーザＰＣ１３０ａ、１３０ｂが採用されているが、１つのユーザＰＣ又は３つ以上のユーザＰＣを採用しても良い。
【００１６】
以下に、ディスプレイ装置１１０について、詳細に説明する。ディスプレイ装置１１０は、一例として、図２（Ａ）に示されるように、ディスプレイ１０に加えて、画像生成ユニットとしてのＰＣユニット１２、画像処理ユニットとしてのコントローラユニット１４、電力供給ユニットとしての電源ユニット１６、筐体１８などを備えている。
【００１７】
ＰＣユニット１２は、画像作成アプリケーションを実行することにより画像を生成し、その画像信号をコントローラユニット１４へ出力する。ＰＣユニット１２には、ディスプレイ１０に設けられたタッチセンサ１０ｃ（図３参照）からの位置情報が入力され、入力された位置情報は、画像作成アプリケーション上の位置データとして用いられる。
【００１８】
ＰＣユニット１２は、図３に示されるように、ＣＰＵ１２ａ、ＲＯＭ（Ｒｅａｄ  Ｏｎｌｙ  Ｍｅｍｏｒｙ）１２ｂ、ＲＡＭ（Ｒａｎｄｏｍ  Ａｃｃｅｓｓ  Ｍｅｍｏｒｙ）１２ｃ、ストレージ１２ｄ、メディアドライブ１２ｅ、ネットワークＩ／Ｆ（Ｉｎｔｅｒ  Ｆａｃｅ）１２ｆ及び画像出力Ｉ／Ｆ１２ｇの各構成要素が、例えばアドレスバス、データバス等のバスラインを介して、双方向通信可能に接続されてなる。
【００１９】
ＣＰＵ１２ａは、所定のプログラムに基づいて、ディスプレイ装置１１０全体を統括制御する。
【００２０】
ＲＯＭ１２ｂは、ＩＰＬ（Ｉｎｉｔｉａｌ  Ｐｒｏｇｒａｍ  Ｌｏａｄｅｒ）等のＣＰＵ１２ａの駆動に用いられるプログラムが記憶されている。ＲＡＭ１２ｃは、ＣＰＵ１２ａのワークエリアとして使用される。
【００２１】
ストレージ１２ｄは、ディスプレイ装置用プログラム、画像データ等の各種データが記憶される。ストレージ１２ｄとしては、例えばＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等を用いてもよい。
【００２２】
上記ディスプレイ装置用プログラムは、インストール可能な形式又は実行可能な形式のファイルで、記録メディア１２ｈ等の、コンピュータで読み取り可能な記録媒体に記録して流通させるようにしてもよい。また、このディスプレイ装置用プログラムは、ストレージ１２ｄではなく、ＲＯＭ１２ｂに記憶されるようにしてもよい。
【００２３】
メディアドライブ１２ｅは、フラッシュメモリ等の記録メディア１２ｈに対するデータの読み出し又は書き込み（記憶）を制御する。記録メディア１２ｈは、メディアドライブ１２ｅに対して着脱自在な構成となっている。また、ＣＰＵ１２ａの制御にしたがってデータの読み出し又は書き込みを行う不揮発性メモリであれば、フラッシュメモリに限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００２４】
ネットワークＩ／Ｆ１２ｆは、ＬＡＮ端子（例えばイーサネット（登録商標）端子）を備え、インターネットを介したデータの入出力のやりとりを仲介する。なお、ネットワークＩ／Ｆ１２ｆとしては、無線のＬＡＮに接続できる無線ＬＡＮのネットワークＩ／Ｆであっても良い。
【００２５】
画像出力Ｉ／Ｆ１２ｇは、接続端子を備え、コントローラユニット１４が受け入れ可能な所定のアナログまたはデジタルの画像信号に変換して出力するようになっている。この画像信号としては、アナログＲＧＢ信号（ＶＧＡ）、コンポーネントビデオ信号、ＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）信号、ＤＶＩ（Ｄｉｇｉｔａｌ  Ｖｉｄｅｏ  Ｉｎｔｅｒａｃｔｉｖｅ）信号が挙げられる。
【００２６】
コントローラユニット１４は、一例として、ＰＣユニット１２から出力された画像信号に対し、液晶パネル１０ａのサイズに合わせた画像変換処理（スケーリング）を施す画像変換器１４ａ（スケーラ）、及び画像処理用ＲＡＭ１４ｂを含み、画像変換処理が施された画像をディスプレイ１０に出力する。画像処理用ＲＡＭ１４ｂは、画像データのワーキングエリアとして使われる。なお、コントローラユニット１４は、画像変換処理に代えて又は加えて、例えば画像編集処理等の他の処理を行っても良い。
【００２７】
電源ユニット１６は、一例として、不図示の交流電源に接続されており、ディスプレイ１０、ＰＣユニット１２及びコントローラユニット１４に駆動用の電力を供給する。
【００２８】
ディスプレイ１０は、一例として、画像が表示される矩形状の表面を有する大型（例えば４０インチ〜８０インチ）の液晶パネル１０ａ、液晶ドライバ１０ｂ、タッチセンサ１０ｃ等を有し、コントローラユニット１４から出力された画像信号に応じた画像を液晶パネル１０ａの表面に表示する。液晶パネル１０ａは、タッチセンサ１０ｃと共に、タッチパネルを構成している。なお、「矩形状の表面」には、コーナーが直角なもののみならず、コーナーが丸みを帯びたものも含まれる。
【００２９】
筐体１８は、一例として、Ｙ軸方向を厚さ方向とする薄型の直方体形状の箱形部材から成り、−Ｙ側の面に、大きな矩形開口１８ａが形成されている（図１、図４（Ａ）及び図４（Ｂ）参照）。
【００３０】
また、図２（Ａ）に示されるように、筐体１８の中心を挟んで対向する一対のコーナー部には、それぞれ開口１８ｂ、１８ｃが形成されている。
【００３１】
筐体１８は、ディスプレイ１０を、液晶パネル１０ａの表面が矩形開口１８ａを介して露出し、かつ液晶パネル１０ａの外縁及び裏面を覆うように保持している（図２（Ａ）、図２（Ｂ）、図４（Ａ）及び図４（Ｂ）参照）。
【００３２】
また、筐体１８は、ＰＣユニット１２、コントローラユニット１４及び電源ユニット１６を、液晶パネル１０ａの裏面側に収容している（図４（Ａ）及び図４（Ｂ）参照）。詳述すると、ＰＣユニット１２、コントローラユニット１４及び電源ユニット１６は、液晶パネル１０ａの裏面に沿って並べて配置されている。
【００３３】
更に詳述すると、ＰＣユニット１２、コントローラユニット１４及び電源ユニット１６は、筐体１８内において液晶パネル１０ａの表面の、２つの開口１８ｂ、１８ｃ間に延びる対角線方向、すなわち水平面（ＸＹ平面）に傾斜する方向（以下では、傾斜方向とも称する）に並ぶように配置されている（図２（Ａ）及び図２（Ｂ）参照）。
【００３４】
また、ＰＣユニット１２、コントローラユニット１４及び電源ユニット１６それぞれは、長手方向を有し、該長手方向が水平又は鉛直になるように配置されている（図２（Ａ）及び図２（Ｂ）参照）。
【００３５】
筐体１８は、姿勢維持手段としての支持スタンド２０によってＹ軸周りに回動可能に支持されている。
【００３６】
より詳細には、ディスプレイ１０を保持し、かつＰＣユニット１２、コントローラユニット１４及び電源ユニット１６を収容している筐体１８（以下では、ディスプレイ系とも称する）は、液晶パネル１０ａの表面の長手方向の一辺が水平であり、かつ該一辺に直交する他辺が鉛直である横向き姿勢（図２（Ａ）参照）と、上記一辺が鉛直であり、かつ上記他辺が水平である縦向き姿勢（図２（Ｂ）参照）との間で支持スタンド２０に対して姿勢変更可能となっている。ここでは、ディスプレイ系は、図２（Ａ）に示される横向き姿勢から矢印Ｐ方向に回動されて、図２（Ｂ）に示される縦向き姿勢に変更され、該縦向き姿勢に維持されるようになっている。また、ディスプレイ系は、図２（Ｂ）に示される縦向き姿勢から矢印Ｑ方向に回動されて、図２（Ａ）に示される横向き姿勢に変更され、該横向き姿勢に維持されるようになっている。そして、ディスプレイ１０は、横向き姿勢及び縦向き姿勢の各姿勢で、該姿勢に応じた適正な画像を表示可能である。
【００３７】
この場合、ディスプレイ装置１１０では、例えば設置場所等の使用環境、要求される表示画像（横長画像又は縦長画像）に応じて、ディスプレイ１０を横向き姿勢又は縦向き姿勢で使用することができる。
【００３８】
結果として、ＰＣユニット１２、コントローラユニット１４及び電源ユニット１６は、ディスプレイ１０が横向き姿勢及び縦向き姿勢のいずれであっても、ＰＣユニット１２が最も−Ｚ側（下側）に位置し、電源ユニット１６が最も＋Ｚ側（上側）に位置するように、筐体１８内において水平面に対して傾斜する方向に並ぶ（図２（Ａ）及び図２（Ｂ）参照）。
【００３９】
この場合、ＰＣユニット１２、コントローラユニット１４及び電源ユニット１６で発生した熱によって筐体１８内の気体の温度が高められ、開口１８ｂから流入して開口１８ｃから流出する気流、すなわち開口１８ｂから開口１８ｃに向かう気流（上昇気流）が発生する。このように、開口１８ｂは、吸気口として機能し、開口１８ｃは、排気口として機能する。
【００４０】
この結果、ＰＣユニット１２、コントローラユニット１４及び電源ユニット１６で発生した熱を効率良く外気に放出することができる。
【００４１】
以上説明した本実施形態のディスプレイ装置１１０は、画像が表示される矩形状の表面を有する液晶パネル１０ａを含み、前記表面の長手方向の一辺が水平であり、かつ前記表面の前記一辺に直交する他辺が鉛直である横向き姿勢、及び前記一辺が鉛直であり、かつ前記他辺が水平である縦向き姿勢のいずれかで用いられるディスプレイ１０を備えるディスプレイ装置１１０である。ディスプレイ装置１１０は、画像を生成するＰＣユニット１２と、ＰＣユニット１２で生成された画像に処理を施し、処理が施された画像をディスプレイ１０に出力するコントローラユニット１４と、ＰＣユニット１２、コントローラユニット１４及びディスプレイ１０に電力を供給する電源ユニット１６と、ディスプレイ１０を前記表面が露出し、かつ液晶パネル１０ａの裏面を覆うように保持するとともに、ＰＣユニット１２、コントローラユニット１４及び電源ユニット１６を液晶パネル１０ａの裏面側に収容する筐体１８と、を備えている。そして、ディスプレイ１０が横向き姿勢及び縦向き姿勢のいずれであっても、ＰＣユニット１２、コントローラユニット１４及び電源ユニット１６は、筐体１８内で水平面に対して傾斜する方向に並んでいる。
【００４２】
この場合、ディスプレイ１０を縦向き姿勢及び横向き姿勢のいずれにしても、ＰＣユニット１２、コントローラユニット１４及び電源ユニット１６は、筐体１８内で水平面に対して傾斜する方向に並ぶため、該傾斜する方向に沿う上昇気流を発生させることができ、ＰＣユニット１２、コントローラユニット１４及び電源ユニット１６で発生した熱を効率的に放出できる。
【００４３】
結果として、ディスプレイ装置１１０では、筐体内で発生した熱の放熱性を第１及び第２の姿勢で同等に向上させることができる。
【００４４】
一方、仮に、ディスプレイが横向き姿勢又は縦向き姿勢のときに、ＰＣユニット、コントローラユニット及び電源ユニットが、筐体内で液晶パネルの表面の長手方向又は短手方向（長手方向に直交する方向）に並んでいる場合には、ディスプレイが縦向き姿勢又は横向き姿勢のときに、上記３つのユニットが水平方向に並び、水平面に対して傾斜する方向に沿う上昇気流を発生させることができない。この場合、筐体内で発生した熱の放熱性を横向き姿勢及び縦向き姿勢で同等に向上することは、困難である。
【００４５】
また、特許文献１に開示されている電子機器でも、ディスプレイが縦向き姿勢又は横向き姿勢のときに、筐体内での気流の向きが水平方向となるので、筐体内で発生した熱の放熱性を各姿勢で同等に向上することは、困難である。
【００４６】
また、筐体１８は、前記傾斜する方向の一端及び他端それぞれに開口１８ｂ、１８ｃが形成されているため、前記傾斜する方向に沿う上昇気流を効率的に発生させることができ、筐体１８内で発生した熱の放熱性をより向上できる。
【００４７】
また、ＰＣ１２、コントローラユニット１４及び電源ユニット１６は、液晶パネル１０ａの裏面に沿って配置されているため、筐体１８の薄型化を図ることができる。
【００４８】
また、前記傾斜する方向は、液晶パネル１０ａの表面の対角線が延びる方向であるため、ＰＣユニット１２、コントローラユニット１４及び電源ユニット１６を極力離間させて配置することができ、それぞれに気流を十分に当てて、冷却することができる。
【００４９】
なお、図５（Ａ）及び図５（Ｂ）に示される第１変形例のように、傾斜方向に延びるダクト３００を筐体１８内に設けて、ダクト３００内にＰＣユニット１２、コントローラユニット１４及び電源ユニット１６を傾斜方向に並べて配置することとしても良い。この場合、開口１８ｂから開口１８ｃに向かう上昇気流を、ダクト３００によって傾斜方向に効率良く案内することができ、筐体１８内で発生した熱の放熱性をより一層向上させることができる。
【００５０】
また、図６に示される第２変形例のように、筐体１８内における開口１８ｂ（吸気口）付近にファン４００を設置し、吸気効率を向上させても良い。また、開口１８ｃ（排気口）付近にファンを設置し、排気効率を向上させても良い。要は、開口１８ｂと開口１８ｃとの間の気流の経路に少なくとも１つのファンが設置されることが好ましい。
【００５１】
ファンとしては、モータの軸方向に吸気及び排気するもの（図６参照）を用いても良いし、モータの軸方向から吸気し、モータの軸と垂直な一軸方向に排気するシロッコファン（図７参照）を用いても良い。この場合、シロッコファンの排気方向を、例えば開口１８ｂに向けるとともに、筐体１８におけるシロッコファンの吸気方向に応じた位置（例えば筐体１８の＋Ｙ側の面）に開口（吸気口）を形成することが好ましい。
【００５２】
また、上記第１変形例におけるダクト３００内、ダクト３００の一端側又はダクト３００の他端側に第２変形例におけるファンを配置しても良い。
【００５３】
また、例えばＰＣユニット１２、コントローラユニット１４及び電源ユニット１６の少なくとも１つに、一例として、図８に示されるような放熱用のヒートシンクを設けても良い。
【００５４】
この場合、傾斜方向、すなわち気流の方向にヒートシンクの向きを合わせることで、放熱性をより向上させることができる。
【００５５】
具体的には、ヒートシンクは、例えばＰＣユニット１２のＣＰＵ１２ａ、コントローラユニット１４の画像変換器１４ａ、電源ユニット１６のレギュレータなどの発熱体に装着されることが好ましい。
【００５６】
また、上記実施形態及び各変形例では、ＰＣユニット１２、コントローラユニット１４（画像処理ユニット）、電源ユニット１６は、長手方向が水平となるように配置されているが、図９（Ａ）及び図９（Ｂ）に示されるように、長手方向が傾斜方向に平行になるように配置することとしても良い。この場合、各ユニットの傾斜方向に直交する方向の幅（冷却すべき幅）を小さくできるため、例えば筐体に形成される開口を小さくするなどして、気流の流路を狭め、流速を速くすることができ、ひいては各ユニットの放熱性をより向上させることができる。
【００５７】
また、上記実施形態及び各変形例では、吸気口（開口１８ｂ）側から排気口（開口１８ｃ）側に向けて、ＰＣユニット１２、コントローラユニット１４及び電源ユニット１６がこの順に並んでいるが、この並び順は、適宜変更可能である。要は、吸気口と排気口との間の気流の経路上に該経路に沿ってＰＣユニット１２、コントローラユニット１４及び電源ユニット１６が並べて配置されていれば良い。
【００５８】
また、上記実施形態及び各変形例では、ディスプレイ１０が横向き姿勢及び縦向き姿勢のいずれであっても、ＰＣユニット１２、コントローラユニット１４及び電源ユニット１６が傾斜方向に並んでいるが、これに限らず、要は、ＰＣユニット１２、コントローラユニット１４及び電源ユニット１６のうち、少なくとも２つが傾斜方向に並んでいれば良い。
【００５９】
また、上記実施形態及び各変形例では、筐体１８内におけるＰＣユニット１２、コントローラユニット１４及び電源ユニット１６の並び方向は、液晶パネル１０ａの対角線が延びる方向であるが、これに限らず、要は、水平面に対して傾斜する方向であれば良い。
【００６０】
また、上記実施形態及び各変形例では、ディスプレイ１０は、液晶パネル１０ａの表面の長手方向の一辺が水平であり、かつ該一辺に直交する他辺が鉛直である横向き姿勢、及び該一辺が鉛直であり、かつ該他辺が水平である縦向き姿勢のいずれかで用いられるが、これに限らず、要は、ディスプレイは、液晶パネルの表面の一辺が水平であり、かつ該一辺に直交する他辺が水平でない第１の姿勢、及び該一辺が水平でなく、かつ該他辺が水平である第２の姿勢のいずれかで用いられれば良い。
【００６１】
また、上記実施形態及び各変形例では、姿勢維持手段として、支持スタンド２０が採用されているが、これに限らず、例えば床上、台上等に立てられたディスプレイ系の転倒を防止するための転倒防止部材を、ディスプレイ系の背面側に設けても良い。
【００６２】
また、上記実施形態及び各変形例では、姿勢維持手段としての支持スタンド２０が設けられているが、設けられていなくても良い。この場合、ディスプレイ系を例えば床上、台上等に接地させ、例えば壁等に立てかけても良い。この場合、人手により、ディスプレイ系を横置き姿勢と縦置き姿勢との間で姿勢変更すれば良い。
【００６３】
また、上記実施形態及び各変形例では、ディスプレイは、液晶パネルを有しているが、これに限らず、例えば、プラズマパネルを有していても良い。
【００６４】
また、上記実施形態及び各変形例では、ディスプレイ装置として、大型の表示パネルを有する電子黒板が採用されたが、これに限らず、例えば比較的小型の表示パネルを有するデスクトップ型のパソコン等の画像生成手段、画像処理手段及び電力供給手段を有するものが採用されても良い。
【符号の説明】
【００６５】
１０…ディスプレイ、１２…ＰＣユニット（画像生成ユニット）、１４…コントローラユニット（画像処理ユニット）、１６…電源ユニット（電力供給ユニット）、１８…筐体、１８ｂ…開口、１８ｃ…開口、２０…支持スタンド（姿勢維持手段）、１１０…ディスプレイ装置、３００…ダクト、４００…ファン。
【先行技術文献】
【特許文献】
【００６６】
【特許文献１】特許第４９０２０１５号公報
【図２】
2014153562.tif 000003
【図３】
2014153562.tif 000004
【図４】
2014153562.tif 000005
【図５】
2014153562.tif 000006
【図６】
2014153562.tif 000007
【図９】
2014153562.tif 000008
【図１】
2014153562.tif 000009
【図７】
2014153562.tif 000010
【図８】
2014153562.tif 000011